(57)【要約】【課題】支持台に載置された流し本体に外力が作用しても流し本体の位置ズレを生じることがない屋外用の流しを提供する。【解決手段】流し本体２が支持台１，１に載置された屋外用の流しであって、流し本体２の下端部に、支持台１，１の外側面及び先端面に当接又は若干の隙間をあけて近接するスカート部２ｇが形成された構成の屋外用の流しとする。支持台１，１として好ましくはコンクリートブロックを使用する。流し本体２に左右方向の外力や前方からの外力が作用しても、スカート部２ｇによって流し本体２の位置ズレが防止される。【選択図】図１
2005133446.tif 000002
【特許請求の範囲】
【請求項１】
流し本体が支持台に載置された屋外用の流しであって、流し本体の下端部に、支持台の外側面及び先端面に当接又は若干の隙間をあけて近接するスカート部が形成されていることを特徴とする屋外用の流し。
【請求項２】
流し本体の裏面に位置決め用の凸部が形成され、この凸部が支持台の孔に嵌合されている請求項１に記載の屋外用の流し。
【請求項３】
支持台が左右一対のコンクリートブロックであって、流し本体の裏面に形成された位置決め用の左右の凸部が左右一対のコンクリートブロックの孔に嵌合されている請求項２に記載の屋外用の流し。
【請求項４】
流し本体の裏面に左右方向のリブが形成され、リブの下面が水平面とされている請求項２又は請求項３に記載の屋外用の流し。
【発明の詳細な説明】
【技術分野】
【０００１】
本発明は、住宅の庭等に設置される屋外用の流しに関する。
【背景技術】
【０００２】
この種の屋外用の流しは、支持台の上に流し本体を載せることによって、流し本体が適当な高さとなるように設置することが多い。流し本体を載せる支持台としては、金属パイプを曲げ加工して製作した簡易な支持台から、プラスチック等で成形した４本の脚を有するテーブル型の支持台まで種々のタイプがあり、本出願人も、ＦＲＰで成形したテーブル型の支持台の上に流し本体を載置した屋外用の流しを提案した（特許文献１）。
【０００３】
けれども、流し本体にはサイズや形状の異なるものが多種類あるため、それぞれのサイズや形状の流し本体に適合する支持台を多種類取り揃えなければならないという問題があった。
【０００４】
そこで、支持台として左右一対のコンクリートブロックを使用し、流し本体のサイズや形状に適合するように左右のコンクリートブロックの間隔を調節して、その上に流し本体を載置することが多くなってきた。
【０００５】
しかしながら、左右のコンクリートブロックの上に流し本体を載置した屋外用流しは、流し本体に足や物が当たると、流し本体が位置ズレを生じるという問題があった。特に、流し本体の後端縁に形成された凹部に水栓柱を嵌め込んで立設している屋外用の流しの場合は、上記のように流し本体に位置ズレが生じると、水栓柱に捻じれ方向の外力が作用して水栓柱を壊す心配があった。
【特許文献１】特開２００１−３４８９２８号公報
【発明の開示】
【発明が解決しようとする課題】
【０００６】
本発明は上記の問題に対処すべくなされたもので、支持台に載置された流し本体に外力が作用しても流し本体の位置ズレを生じることがなく、支持台として左右一対のコンクリートブロックを使用した場合でも流し本体の位置ズレを生じることがない、屋外用の流しを提供することを解決課題とするものである。
【課題を解決するための手段】
【０００７】
上記の課題を解決するため、本発明に係る屋外用の流しは、流し本体が支持台に載置された屋外用の流しであって、流し本体の下端部に、支持台の外側面及び先端面に当接又は若干の隙間をあけて近接するスカート部が形成されていることを特徴とするものである。
【０００８】
本発明の屋外用の流しにおいては、流し本体の裏面に位置決め用の凸部が形成され、この凸部が支持台の孔に嵌合されていることが望ましく、特に、支持台が左右一対のコンクリートブロックであって、流し本体の裏面に形成された位置決め用の左右の凸部が左右一対のコンクリートブロックの孔に嵌合されているものが望ましい。また、流し本体の裏面に左右方向のリブが形成され、リブの下面が水平面とされていることも望ましい。
【発明の効果】
【０００９】
本発明に係る屋外用の流しは、支持台に載置された流し本体の下端部のスカート部が、支持台の外側面及び先端面に当接又は若干の隙間をあけて近接しているため、流し本体に左右方向の外力や前方からの外力が作用しても、スカート部によって流し本体の位置ズレが防止される。従って、流し本体の後端縁の凹部に水栓柱を嵌め込んで立設した場合でも、流し本体の位置ズレにより水栓柱に捻じれ方向の外力が作用して水栓柱が壊れる心配はない。なお、後方から外力が作用した場合は、流し本体が前方へ位置ズレを生じることはあるが、屋外用の流しは通常、家屋の外壁面や塀に沿って設置されるため、後方から外力が作用して流し本体に位置ズレを生じる心配は殆どない。
【００１０】
また、流し本体の裏面に位置決め用の凸部が形成され、この凸部が支持台の孔に嵌合されている屋外用の流しは、スカート部のみならず、支持台の孔に嵌合された凸部によって二重に流し本体の位置ズレを防止できる利点がある。そして、支持台が左右一対のコンクリートブロックであって、流し本体の裏面に形成された位置決め用の左右の凸部が左右一対のコンクリートブロックの孔に嵌合されている屋外用の流しは、左右のコンクリートブロックの間隔を調節することによって種々のサイズや形状の流し本体を載置でき、コンクリートブロックに元々形成されている孔を利用して流し本体裏面の凸部を嵌合することで、二重に流し本体の位置ズレを防止できる利点がある。更に、流し本体の裏面に形成された左右方向のリブの下面が水面とされている屋外用流しは、流し本体の裏面が傾斜していても、リブの下面がコンクリートブロック等の支持台の上面に隙間なく当接するので、ガタツキなく安定して流し本体を支持台に載置できる。
【発明を実施するための最良の形態】
【００１１】
以下、図面を参照して本発明の最良の実施形態を詳述するが、本発明はこの実施形態のみに限定されるものではない。
【実施例１】
【００１２】
図１は本発明の一実施形態に係る屋外用の流しの斜視図、図２は同屋外用の流しの分解斜視図、図３は図１のＡ−Ａ線に沿った断面図、図４は流し本体を斜め下方から見た斜視図である。
【００１３】
この屋外用の流しは、図１、図２に示すように、左右一対のコンクリートブロック１，１からなる支持台と、その上に載置された流し本体２とで構成されている。支持台となるコンクリートブロック１，１は、ブロック塀などに使用される規格サイズのもので、図２に示すように、上下に貫通する三つの角孔１ａが形成されている。
【００１４】
流し本体２は、ポリプロピレン等の合成樹脂やレジンコンクリートなどで一体成形された天然石調の成形品であって、図１、図２に示すように、方形箱状のシンク部２ａを有しており、その後縁部に水栓柱３を嵌め込んで立設するための凹部２ｂが形成されている。そして、この凹部２ｂの両側には、棚部２ｃと収納部２ｄが形成されており、手足を洗う石鹸類や庭木を手入れする小道具類等を棚部２ｃに置いたり収容部２ｄに収容できるようになっている。また、シンク部２ａの底には排水口２ｅが形成されており、図３に示すように、シンク部２ａの底面２ｆが排水口２ｅに向かって徐々に低くなるように傾斜している。
【００１５】
図４に示すように、流し本体２の左右両側縁の下端部と前縁の下端部には、位置決め用のスカート部２ｇがコ字状に連続して一体に形成されている。このスカート部２ｇは、図１、図３に示すように、支持台となる左右のコンクリートブロック１，１の上に流し本体２を載置したとき、これらのコンクリートブロック１，１の外側面及び先端面に当接するか、又は、若干の隙間をあけて近接し、流し本体２の左右方向の位置ズレと後方への位置ズレを防止するものである。かかるスカート部は、場合によっては、流し本体２の後縁（凹部２ｂを除いた後縁）の下端部に形成してもよく、また、流し本体２の前側左右のコーナー下端部などに不連続に形成してもよい。
【００１６】
また、流し本体２の裏面には、方形環状の凸部２ｈが左右に三つずつ形成されている。これらの凸部２ｈは、図３に示すように支持台となる左右のコンクリートブロック１，１の上に流し本体２を載置したとき、コンクリートブロックの三つの角孔１ａに嵌まり込んで、二重に流し本体２の位置ズレを防止するものである。なお、コンクリートブロックには、角孔の縦横寸法が８０×７０ｍｍでブロックの横幅が１２０ｍｍの規格のものと、角孔の縦横寸法が８５×５５ｍｍでブロックの横幅が１００ｍｍの規格のものがあるので、どちらのコンクリートブロックの角孔にも凸部２ｈを嵌合できるように、方形環状の凸部２ｈの縦横寸法を７７×４９ｍｍ程度に設定することが望ましい。
【００１７】
更に、この流し本体２の裏面には、図４に示すように、前後方向のリブ２ｉと複数の左右方向のリブ２ｊが形成されており、これらのリブ２ｉ，２ｊの下面は水平面とされている。従って、支持台となる左右のコンクリートブロック１，１の上に流し本体２を載置すると、図３に示すように、左右方向のリブ２ｊの底面がコンクリートブロック１の上面に隙間なく当接するため、流し本体２の裏面が排水口２ｅに向かって若干傾斜していても、流し本体２をガタツキなく安定して支持することができる。
【００１８】
以上のような屋外用の流しは、例えば、ガーデン等における家屋外壁や塀に沿った場所に次の要領で設置される。即ち、流し本体２のサイズや形状を考慮し、支持台となる左右のコンクリートブロック１，１の相互間隔を調整して双方のブロック１，１を地面にセットする。そして、これらのブロック１，１の上に流し本体２を載置し、背後に立設された水栓柱３を流し本体１の凹部２ｂに嵌め込む一方、図１，図３に示すように、流し本体２のスカート部２ｇをブロック１，１の外側面及び先端面に当接又は若干の隙間をあけて近接させ、更に、流し本体２裏面のそれぞれの凸部２ｈをブロック１，１のそれぞれの角孔１ａに嵌め込んで設置する。そして、流し本体２の排水口２ｅに排水管（不図示）を接続する。
【００１９】
上記のように本発明の屋外用の流しを設置すると、流し本体２の下端部のスカート部２ｇが、支持台となる左右のコンクリートブロック１，１の外側面及び先端面に当接又は若干の隙間をあけて近接し、且つ、流し本体２裏面のそれぞれの凸部２ｈがコンクリートブロック１，１のそれぞれの角孔１ａに嵌まり込んでいるため、流し本体２に前後左右方向の外力が作用しても、スカート部２ｇと凸部２ｈによって二重に流し本体２の位置ズレが防止される。従って、流し本体２の後端縁の凹部２ｂに嵌め込んで立設された水栓柱３が、流し本体２の位置ズレによって生じる捻じれ方向の外力を受けて壊れる心配はない。また、流し本体２の裏面に形成されたリブ２ｊの水平な下面がコンクリートブロック１，１の上面に隙間なく当接するので、流し本体２がガタツキなく安定して支持される。
【図面の簡単な説明】
【００２０】
【図１】本発明の一実施形態に係る屋外用の流しの斜視図である。
【図２】同屋外用の流しの分解斜視図である。
【図３】図１のＡ−Ａ線に沿った断面図である。
【図４】流し本体を斜め下方から見た斜視図である。
【符号の説明】
【００２１】
１    支持台となるコンクリートブロック
１ａ  孔（角孔）
２    流し本体
２ａ  シンク部
２ｂ  凹部
２ｇ  スカート部
２ｈ  位置決め用の凸部
２ｊ  リブ
【図１】
2005133446.tif 000003
【図２】
2005133446.tif 000004
【図３】
2005133446.tif 000005
【図４】
2005133446.tif 000006